(57)【要約】      （修正有）【課題】支持するロールの積み上げ段数に応じて無駄な嵩張りを抑えることが可能なロール支持具を提供する。【解決手段】ロール支持具１０は、ロール９０の積み上げ段数が最大積上段数よりを少ない中間段数である場合には、その中間段数分の支持プレート１１を縦溝２９に沿って積み上げたところでプレート支持盤３０における上側プレート支持盤４１を支持プレート１１上に折り曲げることができる。これにより、ロール９０を最大積上段数まで積み上げた場合に比べてロール支持具１０全体を低くすることができる。即ち、ロール支持具１０によれば、支持するロール９０の積み上げ段数に応じて無駄な嵩張りを抑えることができる。また、プレート縁部固定機構によって支持プレート１１の縁部とプレート支持盤３０とが固定されるので、ロール支持具１０の搬送中のがたつきが防がれる。【選択図】図２
2011255918.tif 000002
【特許請求の範囲】
【請求項１】
水平に延びたロールの両端部を支持して対向する１組の支持プレートの各両側縁部を、ベース盤から起立して対向する１対のプレート支持盤の対向面に備えた縦溝に上方から挿入して前記支持プレートを積み上げることで、それら支持プレートを介して複数の前記ロールを最大積上段数まで積み上げ可能なロール支持具において、
前記プレート支持盤のうち、前記最大積上段数より少ない中間段数分の前記支持プレートの上端部と対応する位置に、前記プレート支持盤を折り曲げ可能とする中間ヒンジ部を設けて、前記縦溝に挿入された前記支持プレートが前記中間段数分である場合に、前記プレート支持盤のうち前記中間ヒンジ部より上側の上側プレート支持盤を前記支持プレート上に倒した状態に折り曲げ可能とすると共に、折り曲げられた前記上側プレート支持盤の前記縦溝に前記支持プレートの上縁部を受容した状態に固定するための上縁固定機構を備えたことを特徴とするロール支持具。
【請求項２】
起立状態の前記上側プレート支持盤の前記縦溝に前記支持プレートの側縁部を挿入した状態に固定するための側縁固定機構を備えたことを特徴とする請求項１に記載のロール支持具。
【請求項３】
前記ロールの軸長に応じて変わり得る前記支持プレート同士の間隔に対応して、各前記プレート支持盤に３つ以上の前記縦溝を形成したことを特徴とする請求項１又は２に記載のロール支持具。
【請求項４】
前記プレート支持盤のうち前記中間ヒンジ部より下側の下側プレート支持盤と、前記上側プレート支持盤とが着脱可能となるように前記中間ヒンジ部を構成したことを特徴とする請求項１乃至３の何れか１の請求項に記載のロール支持具。
【請求項５】
各前記ロールの端部を支持する前記支持プレートを、それら各ロールの中心軸を含む水平分割面で上下に２分割して、その水平分割面に対する上側と下側の支持プレートを同一形状にしたことを特徴とする請求項１乃至４の何れか１の請求項に記載のロール支持具。
【発明の詳細な説明】
【技術分野】
【０００１】
本発明は、水平に延びたロールの両端部を支持するロール支持具に関する。
【背景技術】
【０００２】
従来、この種のロール支持具として、ロールの両端部を支持した１組の支持プレートをベース盤から起立した１対のプレート支持盤の間に配置して積み上げ、それら支持プレートを介してロールを上下複数段（例えば、２段）に積み上げて支持可能な多段型ロール支持具が知られている（例えば、特許文献１参照）。
【先行技術文献】
【特許文献】
【０００３】
【特許文献１】特許第３５９９５３９号公報（第１図、第４図）
【発明の概要】
【発明が解決しようとする課題】
【０００４】
しかしながら、上記した多段型ロール支持具では、実際のロールの積上段数が最大数に達していない場合に、未使用の積上段数分の嵩張りが無駄になる。これに対し、ロールを１段のみを支持可能な単段型ロール支持具を複数用意して、必要に応じた段数だけ単段型ロール支持具を積み上げて使用すれば上記した無駄な嵩張りを無くすことができるが、積み上げ段数が増えた場合に、単段型ロール支持具の方が上記した多段型ロール支持具より上方に嵩張ることになる。
【０００５】
本発明は、上記事情に鑑みてなされたもので、支持するロールの積み上げ段数に応じて無駄な嵩張りを抑えることが可能なロール支持具の提供を目的とする。
【課題を解決するための手段】
【０００６】
上記目的を達成するためになされた請求項１の発明に係るロール支持具は、水平に延びたロールの両端部を支持して対向する１組の支持プレートの各両側縁部を、ベース盤から起立して対向する１対のプレート支持盤の対向面に備えた縦溝に上方から挿入して支持プレートを積み上げることで、それら支持プレートを介して複数のロールを最大積上段数まで積み上げ可能なロール支持具において、プレート支持盤のうち、最大積上段数より少ない中間段数分の支持プレートの上端部と対応する位置に、プレート支持盤を折り曲げ可能とする中間ヒンジ部を設けて、縦溝に挿入された支持プレートが中間段数分である場合に、プレート支持盤のうち中間ヒンジ部より上側の上側プレート支持盤を支持プレート上に倒した状態に折り曲げ可能とすると共に、折り曲げられた上側プレート支持盤の縦溝に支持プレートの上縁部を受容した状態に固定するための上縁固定機構を備えたところに特徴を有する。
【０００７】
請求項２の発明は、請求項１に記載のロール支持具において、起立状態の上側プレート支持盤の縦溝に支持プレートの側縁部を挿入した状態に固定するための側縁固定機構を備えたところに特徴を有する。
【０００８】
請求項１に係る上縁固定機構及び請求項２に係る側縁固定機構としては、例えば、上側プレート支持盤の外面のうち縦溝の裏側部分を膨出させて、縦溝の内側面に、上側プレート支持盤の外面に連通する溝側面貫通孔を貫通形成すると共に、前記溝側面貫通孔を通して縦溝内に出没するロック部材を上側プレート支持盤の外面に往復動可能に連結した構造とし、支持プレートのうち縦溝内で溝側面貫通孔と対向する部分にロック部材が係合可能なロック係合部を設けた構成が一例として考えられる。また、上側プレート支持盤を倒した状態で上縁固定機構となる部位が、上側プレート支持盤が起立状態で側縁固定機構になるようにしてもよい。
【０００９】
請求項３の発明は、請求項１又は２に記載のロール支持具において、ロールの軸長に応じて変わり得る支持プレート同士の間隔に対応して、各プレート支持盤に３つ以上の縦溝を形成したところに特徴を有する。
【００１０】
請求項４の発明は、請求項１乃至３の何れか１の請求項に記載のロール支持具において、プレート支持盤のうち中間ヒンジ部より下側の下側プレート支持盤と、上側プレート支持盤とが着脱可能となるように中間ヒンジ部を構成したところに特徴を有する。
【００１１】
また、請求項４に係る中間ヒンジ部の一例としては、例えば、上側プレート支持盤の下端面から突出した複数のヒンジアームと、各前記ヒンジアームの両側面の先端寄り位置から相反する方向に突出した１対の回動支点突起と、プレート支持盤のうち中間ヒンジ部より下側の下側プレート支持盤の上端部に前記複数のヒンジアームに対応させて形成されかつ下側プレート支持盤の上端部内面と上面とに開口した複数のヒンジ溝と、前記各ヒンジ溝の１対の内側面に形成された１対の溝内側面溝と、各ヒンジ溝のうち下側プレート支持盤の上端部内面の開口縁の一部を切り欠いて形成され、１対の回動支点突起を１対の溝内側面溝に受容するための１対の突起通過部とを備えた構成が考えられる。
【００１２】
請求項５の発明は、請求項１乃至４の何れか１の請求項に記載のロール支持具において、各ロールの端部を支持する支持プレートを、それら各ロールの中心軸を含む水平分割面で上下に２分割して、その水平分割面に対する上側と下側の支持プレートを同一形状にしたところに特徴を有する。
【発明の効果】
【００１３】
［請求項１の発明］
請求項１のロール支持具では、縦溝に沿って支持プレートを積み上げることで複数のロールを最大積上段数まで積み上げることができる。そして、ロールの積み上げ段数が最大積上段数より少ない中間段数である場合には、その中間段数分の支持プレートを縦溝に沿って積み上げたところで、プレート支持盤における上側プレート支持盤を支持プレート上に折り曲げることができる。これにより、ロールを最大積上段数まで積み上げた場合に比べてロール支持具全体を低くすることができる。即ち、本発明のロール支持具によれば、支持するロールの積み上げ段数に応じて無駄な嵩張りを抑えることができる。また、折り曲げられた上側プレート支持盤の縦溝に支持プレートの上縁部が受容されて上縁固定機構にて固定されるので、ロール支持具の搬送中のがたつきが防がれると共に、上側プレート支持盤と支持プレートとが互いに補強し合って強度アップが図られる。
【００１４】
［請求項２の発明］
請求項２のロール支持具では、起立状態の上側プレート支持盤の縦溝に支持プレートの側縁部を挿入して側縁固定機構にて固定することができるので、このことによってもロール支持具の搬送中のがたつきが防がれると共に、上側プレート支持盤と支持プレートとが互いに補強し合って強度アップが図られる。
【００１５】
［請求項３の発明］
請求項３のロール支持具では、各プレート支持盤に備えた３つ以上の縦溝のうち任意の２つの縦溝を選択して１組の支持プレートの各両側縁部を挿入することで、軸長が異なる複数種類のロールに対応することができる。
【００１６】
［請求項４の発明］
請求項４のロール支持具では、ロールの積み上げ段数が最大積上段数より少ない中間段数である場合に、上側プレート支持盤を下側プレート支持盤から外して、ロール支持具の軽量化を図ることができる。
【００１７】
［請求項５の発明］
請求項５のロール支持具では、各ロールの端部を支持する支持プレートを上下に２分割して上側と下側の支持プレートを同一形状にしたので、部品の共通化によるコストダウンが図られる。
【図面の簡単な説明】
【００１８】
【図１】本発明の一実施形態に係るロール支持具の斜視図
【図２】ロールを６つ支持したロール支持具の斜視図
【図３】ロールを９つ支持したロール支持具の斜視図
【図４】上側プレート支持盤が折り畳まれたロール支持具の斜視図
【図５】ロール支持具を積み上げた状態の斜視図
【図６】ロール支持具を積み上げた状態の斜視図
【図７】比較的長いロールを９つ支持したロール支持具の斜視図
【図８】比較的長いロールを６つ支持したロール支持具の斜視図
【図９】折り畳まれたロール支持具の斜視図
【図１０】折り畳まれたロール支持具を積み上げた状態の斜視図
【図１１】支持プレートの斜視図
【図１２】ベース部及びプレート支持盤の斜視図
【図１３】ベース部及びプレート支持盤の斜視図
【図１４】下端プレート支持盤と中間プレート支持盤との連結部分の斜視図
【図１５】下端プレート支持盤と中間プレート支持盤との連結部分の斜視図
【図１６】中間プレート支持盤と上側プレート支持盤との連結部分の斜視図
【図１７】縁部固定機構の斜視図
【図１８】縁部固定機構の一部破断斜視図
【図１９】中間プレート支持盤の外面の斜視図
【図２０】ロック部材の斜視図
【発明を実施するための形態】
【００１９】
以下、本発明の一実施形態を図１〜図２０に基づいて説明する。図１に示されたロール９０は、例えば円筒状のロール芯９１にシートを巻回してなり、シート巻回部９２の両端面からロール芯９１が突出した構造になっている。このロール９０を水平に延びた状態にしてロール芯９１の両端部を支持するために、本実施形態のロール支持具１０には支持プレート１１が備えられている。
【００２０】
支持プレート１１は、ロール９０の両端部に２つずつ配置されて計４枚で１組になっている。それら４枚の支持プレート１１は、全て同一形状になっていて、１対ずつの支持プレート１１，１１が上下対称に配置されて、それら上下の支持プレート１１，１１の間にロール芯９１の端部が挟持される。
【００２１】
より詳細には、支持プレート１１は、樹脂成形品であって、図１１（Ａ）に示すように、全体が横長の長方形の板状をなし、外面全体に補強リブ１２が格子状に張り巡らされている。一方、支持プレート１１の内面全体は、図１１（Ｂ）に示すように平坦面になっている。
【００２２】
支持プレート１１の長方形の外縁部における一方の長辺には、ロール芯９１の外径と同じ内径を有した半円形の芯保持溝１３が複数形成されている。具体的には、これら芯保持溝１３は、支持プレート１１の一方の長辺の中央と両端寄り位置との計３箇所に左右対称に配置されている。そして、１対の支持プレート１１，１１を上下対称に配置したときに、図２に示すように上下の支持プレート１１，１１の間で芯保持溝１３，１３が対向して円形貫通孔１３Ａが形成される。
【００２３】
図１１（Ａ）に示すように、支持プレート１１の長方形の外縁部における両短辺には、その短辺の縁部に配置された補強リブ１２の内面に沿って縦長の箱形構造壁１４Ｋがそれぞれ１つずつ設けられている。各箱形構造壁１４Ｋは、図１１（Ｂ）に示すように、支持プレート１１の内面に開放した開口１４Ａを有している。また、図１８に示すように、支持プレート１１の外側面寄りの開口１４Ａの開口縁からは、開口１４Ａを狭くする側に係止突部１４Ｔが突出している。そして、開口１４Ａから箱形構造壁１４Ｋの内側部分が短辺側ロック係合部１４になっている。
【００２４】
図１１（Ｂ）に示すように、支持プレート１１の長方形の外縁部のうち芯保持溝１３を有しない他方の長辺には、複数の長辺側ロック係合部１５が設けられている。この長辺側ロック係合部１５は、上記した短辺側ロック係合部１４を９０度回転させた構造をなして、外側を図１１（Ａ）に示した箱形構造壁１５Ｋで覆われると共に、図１１（Ｂ）に示した横長の開口１５Ａを有している。また、その開口１５Ａの開口縁には、前記した係止突部１４Ｔ（図１８参照）と同形状の図示しない係止突部を備えている。
【００２５】
長辺側ロック係合部１５は、支持プレート１１の他方の長辺のうち左右対称となる例えば計４箇所に配置されている。そして、左右１対ずつの長辺側ロック係合部１５，１５同士の間隔が、支持プレート１１，１１を上下対称に配置して接合した状態で上下に並んだ１対の短辺側ロック係合部１４，１４同士と同じになっている。
【００２６】
図１に示すように、各支持プレート１１は、ロール支持具１０に備えた１対のプレート支持盤３０，３０の間に配置されて、それらプレート支持盤３０，３０によって両側縁部を支持される。また、それら１対のプレート支持盤３０，３０は、ロール支持具１０に備えたベース部２０によって下端部を支持されている。
【００２７】
ベース部２０は、樹脂成形品であって、図１２に示すように、フォーク挿入孔２０Ｆを有したパレット構造をなしている。また、ベース部２０の上面における４辺の外縁部のうち対向した２辺の外縁部からは、１対の下端プレート支持盤２２，２２が突出している。そして、ベース部２０の上面における残りの２辺の外縁部から下端プレート支持盤２２より低い１対の連絡補強壁２１，２１が突出して、下端プレート支持盤２２，２２の両端部の間に差し渡されている。なお、図１３に示すように、下端プレート支持盤２２及び連絡補強壁２１の外面には、補強リブ２２Ｌ，２１Ｌが格子状に張り巡らされている。
【００２８】
各下端プレート支持盤２２の上端部には、中間プレート支持盤３１が回動可能に連結され、それら下端プレート支持盤２２と中間プレート支持盤３１とから、本発明に係る下側プレート支持盤３２が構成されている。また、下側プレート支持盤３２の上端部（即ち、中間プレート支持盤３１の上端部）には上側プレート支持盤４１が回動可能に連結され、これら下側プレート支持盤３２と上側プレート支持盤４１とから本発明に係るプレート支持盤３０が構成されている。
【００２９】
中間プレート支持盤３１を回動可能に連結するために下端プレート支持盤２２には、複数のヒンジ溝２３が形成されている。それらヒンジ溝２３は、例えば各下端プレート支持盤２２の中央と両端部とに配置され、図１４に拡大して示すように、下端プレート支持盤２２の上端部内面と上面とに開口した内面開口２３Ａ及び上面開口２３Ｂを有している。
【００３０】
各ヒンジ溝２３の１対の内側面には、上下方向の下端寄り位置から中間位置に亘る範囲に溝内側面溝２３Ｍ，２３Ｍ（図１４には一方の溝内側面溝２３Ｍのみが示されている）が形成されている。そして、溝内側面溝２３Ｍ，２３Ｍの上端部が、内面開口２３Ａの両開口縁の一部を切り欠いてなる１対の突起通過部２３Ｓ，２３Ｓを通して下端プレート支持盤２２の内面に開放している。
【００３１】
図１２に示すように、各下端プレート支持盤２２のうち隣り合ったヒンジ溝２３，２３の間には、それぞれ起立固定溝２４が形成されている。各起立固定溝２４は、図１４に示すように、ヒンジ溝２３と同様に下端プレート支持盤２２の上端部内面と上面とに開口した内面開口２４Ａ及び上面開口２４Ｂを有している。また、起立固定溝２４の下端部はヒンジ溝２３の上端寄り位置に配置され、起立固定溝２４の内部底面は、下端プレート支持盤２２の外側に開放した下端開口２４Ｅになっている。
【００３２】
中間プレート支持盤３１は、樹脂成形品であって、図１３に示すように、全体が横長の長方形の板状をなし、外面全体に補強リブ３１Ｌが格子状に張り巡らされている。また、上側プレート支持盤４１も、樹脂成形品であって、図１３に示すように、全体が中間プレート支持盤３１と同じ横幅で中間プレート支持壁３１より上下方向が小さい長方形の板状をなし、外面全体に補強リブ４１Ｌが格子状に張り巡らされた構造になっている。なお、中間及び上側のプレート支持壁３１，４１の補強リブ３１Ｌ，４１Ｌの格子パターンは、下端プレート支持盤２２の補強リブ２２Ｌと略同一になっている。
【００３３】
中間プレート支持盤３１の下端面からは、下端プレート支持盤２２のヒンジ溝２３に向けて複数のヒンジアーム３３が突出すると共に、下端プレート支持盤２２の起立固定溝２４に向けて複数の固定アーム３５が突出している。ヒンジアーム３３は、中間プレート支持盤３１の下端面から突出した突片の外面にリブを備えた構造をなしている。また、図１４に示すように、ヒンジアーム３３は、ヒンジ溝２３の上面開口２３Ｂの縦横と略同一の幅及び厚さをなし、ヒンジアーム３３の先端部の両側面からは、相反する方向に１対の回動支点突起３４，３４が突出している。そして、ヒンジアーム３３とヒンジ溝２３とから下端プレート支持盤２２と中間プレート支持盤３１とを着脱可能かつ回動可能に連結する下端ヒンジ部８０が構成されている。具体的には、図１５に示すように、これら１対の回動支点突起３４，３４を突起通過部２３Ｓ，２３Ｓに挿通させて溝内側面溝２３Ｍ，２３Ｍに係合することで、下端プレート支持盤２２に対して中間プレート支持盤３１が回動可能に連結される。
【００３４】
図１３に示すように、固定アーム３５は、ヒンジアーム３３と同様に突片の外面にリブを備えた構造をなし、ヒンジアーム３３より短くなっている。また、図１４に示すように、固定アーム３５の内面における下端寄り位置には段差部が形成され、その段差部より下側部分が下端嵌合部３６になっている。そして、図１５に示すように、ヒンジアーム３３の回動支点突起３４，３４を溝内側面溝２３Ｍの上端部に係合させた状態にして中間プレート支持盤３１を下端プレート支持盤２２の上方に起立させると、起立固定溝２４内で下端嵌合部３６が下端開口２４Ｅに上方から臨んだ状態になり、この状態で中間プレート支持盤３１を下端プレート支持盤２２に向けて押し下げると、下端嵌合部３６が起立固定溝２４の下端開口２４Ｅに嵌合して、中間プレート支持盤３１が起立姿勢に保持される。
【００３５】
図１２及び図１３に示すように、中間プレート支持盤３１の上端部と上側プレート支持盤４１の下端部との間には、上記した下端プレート支持盤２２と中間プレート支持盤３１との連結構造と同じ連結構造が備えられている。具体的には、中間プレート支持盤３１の上端部には、下端プレート支持盤２２の上端部と同じ複数のヒンジ溝２３と複数の起立固定溝２４とが形成され、これらに対応して上側プレート支持盤４１の下端部には、中間プレート支持盤３１の下端部と同じ複数のヒンジアーム３３と複数の固定アーム３５とが設けられている。これにより、上側プレート支持盤４１を中間プレート支持盤３１とを着脱可能かつ回動可能に連結する中間ヒンジ部８１（図１６参照）が構成されると共に、中間プレート支持盤３１の上方に上側プレート支持盤４１を起立させた状態に固定することができるようになっている。
【００３６】
上述したように下端プレート支持盤２２と中間プレート支持盤３１とから下側プレート支持盤３２が構成され、その下側プレート支持盤３２と上側プレート支持盤４１とから本発明に係るプレート支持盤３０が構成されている。そして、プレート支持盤３０の内面には、図１２に示すように、左右の両端部に１対ずつ計４つの縦溝２９がプレート支持盤３０の上下方向全体に亘って形成されている。具体的には、各縦溝２９は、プレート支持盤３０の左右方向の両端部の各ヒンジ溝２３の両隣に隣接するように配置されている。また、図１６に示すように、各縦溝２９は、断面四角形の角溝構造をなし、図１３に示すように、プレート支持盤３０の外面では縦溝２９の裏面に当たる部分が角柱状をなして延びている（図１９参照）。さらには、図１２に示すように、１対のプレート支持盤３０，３０の間で互いに対向する縦溝２９の下端部間を連絡するようにベース部２０の上面に４つの横溝２８が形成されている。そして、図１に示すように、両プレート支持盤３０，３０の各中間プレート支持盤３１及び各上側プレート支持盤４１を起立状態にすれば、支持プレート１１の両側縁部を両プレート支持盤３０，３０の間で対向する任意の１対の縦溝２９，２９に上方から挿入することができる。
【００３７】
縦溝２９内に支持プレート１１を固定するために、図１２に示すように、中間プレート支持盤３１には、各縦溝２９に沿ってそれぞれ複数ずつのプレート縁部固定機構５０が設けられている。各プレート縁部固定機構５０は、図１４に示すように、縦溝２９の一側面に貫通形成された溝側面貫通孔５１と、図１８に示すように、溝側面貫通孔５１を通して中間プレート支持盤３１の外面から縦溝２９内に出没可能なロック部材５５等と、次述するガイド突条５２、抜け止め片５３等を備えている。
【００３８】
詳細には、図１９に示すように、中間プレート支持盤３１の外面においては、横方向に延びた１対の補強リブ３１Ｌ，３１Ｌが溝側面貫通孔５１の上端部と下端部とに隣接している。そして、それら１対の補強リブ３１Ｌ，３１Ｌの互いの対向面のうち溝側面貫通孔５１に臨んだ部分には、横方向に延びたガイド突条５２がそれぞれ形成されている（図１９には、一方の補強リブ３１Ｌのガイド突条５２のみが示されている。また、中間プレート支持盤３１の外面のうち１対の補強リブ３１Ｌ，３１Ｌの間の中央に位置して溝側面貫通孔５１に臨んだ部分には、中間プレート支持盤３１の一部を片持ち梁状に切り離して抜け止め片５３が形成されている。抜け止め片５３は、溝側面貫通孔５１に向かって延び、その先端部外面にストッパ突部５４を備えている。ストッパ突部５４は、抜け止め片５３の長手方向に対して直交したストッパ面５４Ａを溝側面貫通孔５１側に備え、抜け止め片５３の長手方向に対して傾斜したガイド面５４Ｂを溝側面貫通孔５１と反対側に備えている。
【００３９】
図２０（Ａ）に示すように、ロック部材５５は、操作部５６から第１と第２のロック片５８，５９を突出させてなる。操作部５６は、矩形板壁５６Ｂを矩形枠壁５６Ａで囲んだ構造をなして、図１７（Ａ）に示すように、溝側面貫通孔５１の上下の補強リブ３１Ｌ，３１Ｌの間に収容されている。また、図２０（Ａ）に示すように、操作部５６の上面と下面には、横方向に延びたガイド突条５６Ｇが形成され（図２０には一方のガイド突条５６Ｇのみが示されている）、それらガイド突条５６Ｇが中間プレート支持盤３１におけるガイド突条５２の奥側面にスライド可能に係合している。
【００４０】
図１７（Ａ）に示すように、矩形枠壁５６Ａのうち溝側面貫通孔５１から離れた側の縦辺の中央には、中間プレート支持盤３１の外面側の縁部に、ストッパ突部５４を通過可能とするための切り欠き部５６Ｃが形成されている。また、図２０（Ｂ）に示すように、矩形板５６Ｂは、矩形枠壁５６Ａのうち切り欠き部５６Ｃを形成した部分の厚さ方向の中央に位置し、その矩形板壁５６Ｂの内面に、上下方向の中央にリブ５６Ｌが形成されて、そのリブ５６Ｌと切り欠き部５６Ｃの奥面とが面一になっている。
【００４１】
第１と第２のロック片５８，５９は、操作部５６のうち溝側面貫通孔５１との対向面から突出している。第１ロック片５８は、上下に脚部５８Ｋ，５８Ｋを有した門形構造をなし、それら脚部５８Ｋ，５８Ｋの間に第２ロック片５９が配置されている。また、第１ロック片５８の表裏の両面には、ロック部材５５の直動方向の延びた複数の補強リブ５８Ｔが備えられている。図１８に示すように、第２ロック片５９の先端部外面からはロック突部６０が設けられている。ロック突部６０は、第１ロック片５８の外面よりさらに外側まで突出している。また、ロック突部６０は、第２ロック片５９の長手方向に対して比較的緩やかに傾斜したガイド面６０Ａを操作部５６から離れた側に備える一方、比較的急角度で傾斜した係止面６０Ｂを操作部５６側に備えている。
【００４２】
ロック部材５５を中間プレート支持盤３１に組み付けるには、ロック部材５５のガイド突条５６Ｇをガイド突条５２より溝側面貫通孔５１から離しかつストッパ突部５４に第２ロック片５９を対向させて操作部５６を中間プレート支持盤３１の外面に押し付けた状態にして、ロック部材５５を溝側面貫通孔５１側にスライドさせる。すると、矩形枠壁５６Ａにおける溝側面貫通孔５１側の縦辺がストッパ突部５４のガイド面５４Ｂに摺接して抜け止め片５３が撓み、ガイド突条５２の奥面側にガイド突条５６Ｇが係合したところで、抜け止め片５３が復元する。これにより、図１８に示すように、ストッパ突部５４のストッパ面５４Ａが矩形枠壁５６Ａにおける溝側面貫通孔５１側の縦辺に対して溝側面貫通孔５１と反対側から対向して、ロック部材５５の直動範囲が規制され、中間プレート支持盤３１からのロック部材５５の脱落が防がれる。そして、図１７（Ａ）に示すように、ロック部材５５を直動可能範囲の後端側に配置すると、第１ロック片５８及び第２ロック片５９は溝側面貫通孔５１の外側に配置され、ロック部材５５を直動可能範囲の前端側に移動すると、第１ロック片５８及び第２ロック片５９が溝側面貫通孔５１を介して縦溝２９内に突入する。
【００４３】
図１２に示すように、上記したプレート縁部固定機構５０は、中間プレート支持盤３１の各縦溝２９に例えば３つずつ備えられている。また、中間プレート支持盤３１のプレート縁部固定機構５０と同じプレート縁部固定機構５０が、上側プレート支持盤４１における各縦溝２９にも例えば２つずつ備えられている。上側プレート支持盤４１におけるプレート縁部固定機構５０が、本発明に係る「上縁固定機構」兼「側縁固定機構」になっている。そして、縦溝２９に支持プレート１１を挿入して積み上げていくと、その縦溝２９の各プレート縁部固定機構５０における溝側面貫通孔５１に、支持プレート１１の短辺側ロック係合部１４の開口１４Ａが重なった状態になる。その状態で、図１８に示すように、第１ロック片５８及び第２ロック片５９を溝側面貫通孔５１を介して短辺側ロック係合部１４内に突入させると、短辺側ロック係合部１４の係止突部１４Ｔがロック突部６０のガイド面６０Ａに摺接して第２ロック片５９が撓み、係止突部１４Ｔより奥側にロック突部６０が達したところで、第２ロック片５９が復元してロック突部６０の係止面６０Ｂが係止突部１４Ｔに係止する。そして、第１ロック片５８と短辺側ロック係合部１４との凹凸係合により支持プレート１１の抜け止めが図られる。
【００４４】
本実施形態のロール支持具１０に係る構成に関する説明は以上である。次に、このロール支持具１０の作用効果について説明する。図３に示すように、本実施形態のロール支持具１０では、支持プレート１１は縦溝２９に挿入した状態で最大、例えば６つまで積み上げることができる。これにより、ロール支持具１０は、例えば、３つずつ横並び配置されたロール９０を上下方向に最大３段（本発明に係る「最大積上段数」に相当する）に積み上げた状態で計９つのロール９０を支持することができる。
【００４５】
このように、ロール９０を３つずつ３段に積み上げるには、以下の手順で行う。まず、支持対象となるロール９０の長さに応じて、下端プレート支持盤２２の左右の両端部で縦溝２９を選択する。そして、第１段目の３つのロール９０の各ロール芯９１を下方から支持するための第１段目下側の１対の支持プレート１１，１１の両側縁部を、選択した１対ずつの縦溝２９，２９に挿入する。このとき第１段目下側の１対の支持プレート１１，１１は、共に芯保持溝１３を上側に配置しかつ補強リブ１２を外面側に配置して縦溝２９，２９に挿入する。すると、それら支持プレート１１，１１が、ベース部２０の横溝２８（図１２参照）の底面に当接して互いに対向した状態に固定され、両支持プレート１１，１１の間で芯保持溝１３，１３同士が同軸上に配置される。そこで、例えば、ロール９０のロール芯９１内に図示しないシャフトを貫通させてそのシャフトの両端部にロープを掛け、ロール９０を吊り下げて、ロール芯９１の両端部を支持プレート１１，１１の芯保持溝１３，１３に納める。このようにして、３つのロール９０を支持プレート１１，１１の間に差し渡すと、それらロール９０のシート巻回部９２が空中に浮いた状態に保持され、各シート巻回部９２がベース部２０にも隣のロール９０及びプレート支持盤３０にも接触していない状態になる。
【００４６】
次いで、第１段目上側の１対の支持プレート１１，１１の両側縁部を縦溝２９，２９に挿入して、第１段目下側の１対の支持プレート１１，１１の上に積み上げる。このとき、第１段目上側の１対の支持プレート１１，１１は、共に芯保持溝１３を下側に配置しかつ補強リブ１２を外面側に配置して縦溝２９，２９に挿入する。すると、第１段目下側と第１段目上側の両支持プレート１１，１１の芯保持溝１３，１３の内面間にロール芯９１の端部が挟まれ、第１段目下側の支持プレート１１の上面に、第１段目上側の支持プレート１１の下面が当接する。このとき、第１段目上側の支持プレート１１の短辺側ロック係合部１４の開口１４Ａがプレート支持盤３０のプレート縁部固定機構５０における溝側面貫通孔５１に対向するので、ロック部材５５を溝側面貫通孔５１側に移動して短辺側ロック係合部１４に係合させて支持プレート１１とプレート支持盤３０とを固定する。そして、上記した手順と同様にして、第２段目及び第３段目の上下の支持プレート１１の両側縁部を縦溝２９に挿入してロック部材５５により支持プレート１１とプレート支持盤３０とを固定する。これにより、３つずつ横並び配置されたロール９０を３段まで積み上げて支持することができる。
【００４７】
さて、ロール支持具１０によって支持するロール９０が少ないために２段（本発明に係る「中間段数」に相当する）で足りる場合には、図２に示すように、第２段目上側の支持プレート１１，１１まで縦溝２９に挿入する。ここで、第２段目上側の支持プレート１１，１１の上面は、中間プレート支持盤３１の上面より若干下方に配置される。これにより、図４に示すように、上側プレート支持盤４１，４１を中間プレート支持盤３１に対して内側に折り曲げることができる。上側プレート支持盤４１を中間プレート支持盤３１に対して折り曲げるには、中間プレート支持盤３１の上面から起立した状態の上側プレート支持盤４１を上方に引き上げることで、固定アーム３５の下端嵌合部３６を起立固定溝２４の下端開口２４Ｅから抜いてから（図１５及び図１６参照）、ヒンジアーム３３の回動支点突起３４を中心にして支持プレート１１上に倒すように回動させればよい。すると、上側プレート支持盤４１の縦溝２９内に第２段目上側の支持プレート１１，１１の上縁部が受容されて、支持プレート１１の上面が縦溝２９の奥面に当接し、上側プレート支持盤４１，４１が水平姿勢になる。このとき、縦溝２９に受容された支持プレート１１の上縁部に備えた複数の長辺側ロック係合部１５の開口１５Ａが、上側プレート支持盤４１の複数の溝側面貫通孔５１に対向する。そこで、上側プレート支持盤４１に備えたロック部材５５を溝側面貫通孔５１側に移動して長辺側ロック係合部１５に凹凸係合し、上側プレート支持盤４１と支持プレート１１の上縁部とを固定することができる。これにより、ロール９０をロール支持具１０において２段に配置して支持することができる。
【００４８】
ところで、図４に示すように、上側プレート支持盤４１，４１を水平姿勢に折り曲げた状態では、それら上側プレート支持盤４１，４１より中間プレート支持盤３１，３１の上面が若干上方に位置するので、この場合は、図６に示すように、中間プレート支持盤３１，３１の上面に別のロール支持具１０を載置してロール支持具１０を複数積み上げることができる。また、上記したように第３段目上側の支持プレート１１，１１まで縦溝２９に挿入すると、図３に示すように、それら第３段目上側の支持プレート１１，１１の上面より上側プレート支持盤４１，４１の上面が若干上方に位置するので、この場合は、図５に示すように上側プレート支持盤４１，４１の上面に別のロール支持具１０を載置してロール支持具１０を複数積み上げることができる。
【００４９】
また、ロール支持具１０は、不使用時に図９に示すように折り畳むことができる。ロール支持具１０を折り畳むためには、縦溝２９から全て支持プレート１１を抜き取り、それら支持プレート１１を２枚重ねにしてベース部２０上に載置し、下端プレート支持盤２２，２２の対向方向に並べる。すると、図示しないが支持プレート１１が上下６枚ずつ２枚重ねになってベース部２０の上面のうち連絡補強壁２１，２１と下端プレート支持盤２２，２２とに囲まれた空間に収まる。次いで、各上側プレート支持盤４１を各中間プレート支持盤３１上で起立姿勢にして、一方の中間プレート支持盤３１を下端プレート支持盤２２に対して折り曲げる。すると、中間プレート支持盤３１及び上側プレート支持盤４１が、連絡補強壁２１，２１の上面に当接して水平姿勢になる。そして、他方の中間プレート支持盤３１を下端プレート支持盤２２に対して折り曲げると、一方の中間プレート支持盤３１及び上側プレート支持盤４１に当接して水平姿勢になり、ロール支持具１０の折り畳み作業が完了する。
【００５０】
また、ロール支持具１０が折り畳み状態になると、下端プレート支持盤２２，２２の上面が重ねられた中間プレート支持盤３１及び上側プレート支持盤４１より上方に位置する。これにより、図１０に示すように、下端プレート支持盤２２，２２の上面に別のロール支持具１０を載置して複数のロール支持具１０を積み上げることができる。
【００５１】
なお、ロール支持具１０を積み上げるには、図示しないフォークリフトのフォークをベース部２０のフォーク挿入孔２０Ｆに挿入すればよい。また、図１〜図６には、支持プレート１１を挿入するための縦溝２９として、各プレート支持盤３０の左右の両端部で共に中央寄りに配置された縦溝２９を選択した例が示され、図７，８には、共に外寄りに配置された縦溝２９を選択した例が示されているが、各プレート支持盤３０の左右の一端部では中央寄りに配置された縦溝２９を選択し、他端部では外寄りに配置された縦溝２９を選択してもよい。
【００５２】
上記したように本実施形態のロール支持具１０では、ロール９０の積み上げ段数が最大積上段数（例えば、３段）より少ない中間段数（例えば、２段）である場合には、その中間段数分の支持プレート１１を縦溝２９に沿って積み上げたところでプレート支持盤３０における上側プレート支持盤４１を支持プレート１１上に折り曲げることができる。これにより、ロール９０を最大積上段数まで積み上げた場合に比べてロール支持具１０全体を低くすることができる。即ち、本実施形態のロール支持具１０によれば、支持するロール９０の積み上げ段数に応じて無駄な嵩張りを抑えることができる。また、プレート縁部固定機構５０によって支持プレート１１の縁部とプレート支持盤３０とが固定されるので、ロール支持具１０の搬送中のがたつきが防がれると共に、支持プレート１１の縁部とプレート支持盤３０とが補強し合って強度アップが図られる。しかも、上側プレート支持盤４１が起立姿勢であるときに支持プレート１１の側縁部とプレート支持盤３０とを固定するプレート縁部固定機構５０によって、上側プレート支持盤４１が水平姿勢であるときに支持プレート１１の上縁部とプレート支持盤３０とを固定することができるので、プレート縁部固定機構５０の有効利用が図られる。
【００５３】
また、本実施形態のロール支持具１０には、各プレート支持盤３０に３つ以上の縦溝２９が備えられているの、それらから任意の２つの縦溝２９を選択して１組の支持プレート１１，１１を挿入することで、軸長が異なる複数種類のロール９０に対応することができる。また、中間プレート支持盤３１に対して上側プレート支持盤４１が着脱可能であるので、支持するロール９０が少ない場合に、不要な上側プレート支持盤４１を中間プレート支持盤３１から外して、ロール支持具１０の軽量化を図ることができる。さらには、複数の支持プレート１１が全て同一形状であるので、部品の共通化によるコストダウンが図られる。
【００５４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５５】
（１）前記実施形態の支持プレート１１は、対をなしてロール芯９１の端部を上下から挟む構成であったが、それら上下の支持プレート１１，１１を一体化にした大きさの支持プレートの中心に支持孔を貫通形成するか、支持突部を突出形成し、ロール芯の端部を支持孔又は支持突部に嵌合して支持プレートにてロールを支持する構成にしてもよい。
【００５６】
（２）前記実施形態のロール支持具１０において、中間プレート支持盤３１を上下方向の中間部で２分割して着脱可能かつ回動可能に連結し、ロール９０を２段だけ支持する場合に上側プレート支持盤４１を折り曲げることができることに加えて、ロール９０を１段だけ支持する場合に、上側プレート支持盤４１を中間プレート支持盤３１から離脱して、中間プレート支持壁３１の上側半分を折り曲げるか又は中間プレート支持盤３１の上側半分を下側半分から離脱できる構成にしてもよい。
【００５７】
（３）前記実施形態のロール支持具１０は、支持プレート１１の積み上げ方向で中間プレート支持盤３１と上側プレート支持盤４１とを合わせた大きさが下端プレート支持盤２２，２２の間隔より小さくなっていて、中間プレート支持盤３１と上側プレート支持盤４１とを連結した状態で下端プレート支持盤２２，２２の間に折り畳むことができたが、支持プレート１１の積み上げ方向で中間プレート支持盤３１と上側プレート支持盤４１とを合わせた大きさが下端プレート支持盤２２，２２の間隔より大きくなっていて、上側プレート支持盤４１を中間プレート支持盤３１から分離し、中間プレート支持盤３１と上側プレート支持盤４１とを重ねて下端プレート支持盤２２，２２の間に収容する構成にしてもよい。
【符号の説明】
【００５８】
１０    ロール支持具
１１    支持プレート
１２    補強リブ
２０    ベース部
２２    下端プレート支持盤
２３    ヒンジ溝
２９    縦溝
３０    プレート支持盤
３５    固定アーム
３６    下端嵌合部
４１    上側プレート支持盤
５０    プレート縁部固定機構
５１    溝側面貫通孔
５２    ガイド突条
５５    ロック部材
８１    中間ヒンジ部
９０    ロール
９１    ロール芯
【図１】
2011255918.tif 000003
【図２】
2011255918.tif 000004
【図３】
2011255918.tif 000005
【図４】
2011255918.tif 000006
【図５】
2011255918.tif 000007
【図６】
2011255918.tif 000008
【図７】
2011255918.tif 000009
【図８】
2011255918.tif 000010
【図９】
2011255918.tif 000011
【図１０】
2011255918.tif 000012
【図１１】
2011255918.tif 000013
【図１２】
2011255918.tif 000014
【図１３】
2011255918.tif 000015
【図１４】
2011255918.tif 000016
【図１５】
2011255918.tif 000017
【図１６】
2011255918.tif 000018
【図１７】
2011255918.tif 000019
【図１８】
2011255918.tif 000020
【図１９】
2011255918.tif 000021
【図２０】
2011255918.tif 000022